(57)【要約】【課題】  本発明は目地プレートの先端部付近に障害物や境界が存在する場合でも、目地部が狭くなった際に目地プレートの先端部が障害物に激突したり、境界を越えることなく地震による揺れ動きを吸収することができる勾配路面用目地装置を得るにある。【解決手段】  目地部を介して設けられた勾配を有する左右の路面の一方の路面に形成されたスライド支持凹部と、該スライド支持凹部にスライド可能に設けられた支承プレートと、前記スライド支持凹部の反目地部側に後端部が取り付けられ、前記支承プレートに先端部が支持された一方の目地プレートと、前記左右の路面の他方の路面に後端部が支持され、先端部が前記支承プレートに支持された他方の目地プレートとで構成され、地震によって目地部が狭まる方向に揺れ動いた時に、前記一方の目地プレートおよび他方の目地プレートは、前記路面上の障害物に衝突あるいは境界を越えることなく揺れ動きを吸収できることを特徴とする。【選択図】  図１
2016142114.tif 000002
【特許請求の範囲】
【請求項１】
目地部を介して設けられた勾配を有する左右の路面の一方の路面に形成されたスライド支持凹部と、該スライド支持凹部にスライド可能に設けられた支承プレートと、前記スライド支持凹部の反目地部側に後端部が取り付けられ、前記支承プレートに先端部が支持された一方の目地プレートと、前記左右の路面の他方の路面に後端部が支持され、先端部が前記支承プレートに支持された他方の目地プレートとで構成され、地震によって目地部が狭まる方向に揺れ動いた時に、前記一方の目地プレートおよび他方の目地プレートは、前記路面上の障害物に衝突あるいは境界を越えることなく揺れ動きを吸収できることを特徴とする勾配路面用目地装置。
【請求項２】
前記支承プレートは、先端部が前記スライド支持凹部にスライド可能に支持された支承プレート本体と、該支承プレート本体の後端部に回動軸を介して先端部が取り付けられ、一方の路面の外壁に取り付けられた取付具に後端部が回動可能に取り付けられた複数のアームと、該アームが一定距離以上一方の路面の外壁から離れないように、アームの先端部付近に取り付けられたストッパーで構成されていることを特徴とする請求項１記載の勾配路面用目地装置。
【請求項３】
前記支承プレートは、他方の目地プレートの先端部に一体形成されていることを特徴とする請求項１記載の勾配路面用目地装置。
【発明の詳細な説明】
【技術分野】
【０００１】
本発明は境界や壁面近傍の勾配を有する路面に目地部を介して設けられた左右の床躯体に設けられる勾配路面用目地装置に関する。
【背景技術】
【０００２】
従来、勾配路面に形成された目地部には、一方の目地部端部の床躯体に目地プレート支持凹部を形成するとともに、他方の目地部端部の床躯体に反目地部側が傾斜面に形成された目地プレートスライド支持凹部を形成し、後端部を前記目地プレート支持凹部にピンで先端部が上下方向へ回動可能に枢支し、先端部を前記目地プレートスライド支持凹部に底面又は支持台をスライド可能に支持して目地部を塞ぐ勾配路面用目地装置が使用されていた。
【０００３】
しかし、目地プレートの先端部付近に障害物や境界が存在する場合、このような勾配路面用目地装置では目地部が狭くなった際に目地プレートの先端部が障害物に激突したり、境界を越えてしまうという欠点があった。
【先行技術文献】
【特許文献】
【０００４】
【特許文献１】特許第４９０７４７４号公報
【発明の概要】
【発明が解決しようとする課題】
【０００５】
本発明は以上のような従来の欠点に鑑み、目地プレートの先端部付近に障害物や境界が存在する場合でも、目地部が狭くなった際に目地プレートの先端部が障害物に衝突したり、境界を越えることなく地震による揺れ動きを吸収することができる勾配路面用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は目地部を介して設けられた勾配を有する左右の路面の一方の路面に形成されたスライド支持凹部と、該スライド支持凹部にスライド可能に設けられた支承プレートと、前記スライド支持凹部の反目地部側に後端部が取り付けられ、前記支承プレートに先端部が支持された一方の目地プレートと、前記左右の路面の他方の路面に後端部が支持され、先端部が前記支承プレートに支持された他方の目地プレートとで構成され、地震によって目地部が狭まる方向に揺れ動いた時に、前記一方の目地プレートおよび他方の目地プレートは、前記路面上の障害物に衝突あるいは境界を越えることなく揺れ動きを吸収できることを特徴とする。
【発明の効果】
【０００８】
以上の説明から明らかなように、本発明にあっては次に列挙する効果が得られる。
（１）請求項１の発明においては、目地部を一方の目地プレートおよび他方の目地プレートで塞いでいるので、地震によって建物および通路間の目地部の幅が狭くなる方向に揺れ動いても、境界や障害物に目地プレートが激突することなく確実に左右の路面間の目地部を塞ぐことができる。
（２）地震によって目地部が広がる方向に揺れ動いても、支承プレートによって一方の目地プレートと他方の目地プレートが離間した際に目地部が開口しないように塞ぐことができる。
したがって、人や物が一方の目地プレートと他方の目地プレートの隙間から目地部へ脱落することを防止することができる。
（３）請求項２も前記（１）、（２）と同様な効果が得られる。
（４）請求項３も前記（１）、（２）と同様な効果が得られる。
【図面の簡単な説明】
【０００９】
【図１】本発明を実施するための第１の形態の平面図。
【図２】図１の２−２線に沿う断面図。
【図３】スライド支持部の説明図。
【図４】本発明を実施するための第１の形態の一方の目地プレートの説明図。
【図５】本発明を実施するための第１の形態の他方の目地プレートの説明図。
【図６】本発明を実施するための第１の形態の支承プレートの説明図。
【図７】本発明を実施するための第１の形態の地震で目地部が狭くなった動作説明図。
【図８】本発明を実施するための第１の形態の地震で目地部が広くなった動作説明図。
【図９】本発明を実施するための第２の形態の使用状態の平面図。
【図１０】図９の１０−１０線に沿う断面図。
【図１１】他方の目地プレートの説明図。
【図１２】本発明を実施するための第２の形態の地震で目地部が狭くなった動作説明図。
【図１３】本発明を実施するための第２の形態の地震で目地部が広くなった動作説明図。
【発明を実施するための形態】
【００１０】
以下、図面に示す本発明を実施するための形態により、本発明を詳細に説明する。
図１ないし図８に示す本発明を実施するための第１の形態において、１は障害物や境界Ｂ付近の勾配を有する左右の路面２、３の間の目地部４を塞ぐ勾配路面用目地装置で、この勾配路面用目地装置１は、目地部４を介して設けられた勾配を有する左右の路面２、３の一方の路面２（本実施の形態においては高い方の路面）に形成されたスライド支持凹部５と、該スライド支持凹部５にスライド可能に設けられた支承プレート６と、前記スライド支持凹部５の反目地部側に後端部が取り付けられ、前記支承プレート６に先端部が支持された一方の目地プレート７と、前記左右の路面２、３の他方の路面３（本実施の形態においては低い方の路面）に後端部が支持され、先端部が前記支承プレート６に支持された他方の目地プレート８とで構成されている。
【００１１】
前記スライド支持凹部５は、一方の路面２に形成されており、スライド支持凹部５の反目地部側の部位には、一方の目地プレート７を支持状態で取り付けるため一方の目地プレート７に固定された枢支ピン９、９が挿入される枢支ピン挿入孔１０、１０が形成されている。また、一方の目地プレート７の先端部は支承プレート６に支持されるため、左右の路面２、３の表面と一方の目地プレート７の表面が略同一平面上となるように、支承プレート６の厚さ分のスペーサー１１を前記枢支ピン挿入孔１０、１０の間に備えている。
前記支承プレート６は、先端部が前記スライド支持凹部５にスライド可能に支持された支承プレート本体１２と、該支承プレート本体１２の後端部に回動軸１３で軸支状態で先端部が取り付けられ、一方の路面２の外壁２ａに取り付けられた取付具１４に後端部が取り付けられた複数のアーム１５と、該アーム１５が一定距離以上一方の路面２の外壁２ａから離れないように、アーム１５の先端部付近に取り付けられたストッパー１６とで構成されている。なお、前記取付具１４は、一方の路面２の外壁２ａに取り付けられた長孔２９を有するガイドレール３０と、前記アーム１５の後端部に固定され、前記長孔２９に回転可能に係合されるアーム回動軸３１とで構成されている。
【００１２】
このように構成することで、支承プレート６は、目地部４が広がる方向に揺れ動き、一方の目地プレート７と他方の目地プレート８が離間した際に、その隙間から目地部４が開口しないように塞ぐことができる。また、本実施の形態においては、ストッパー１６としてワイヤーを用いているが、鎖などを用いてもよい。
【００１３】
前記一方の目地プレート７は、平面視長方形状で金属材製の一方の目地プレート本体１７と、この一方の目地プレート本体１７の後端両側部内に設けられ、前記枢支ピン挿入孔１０に挿入し一方の目地プレート７を一方の路面２に取り付ける枢支ピン９、９と、一方の目地プレート本体１７内へ充填されたモルタルあるいはコンクリート１８と、このモルタルあるいはコンクリート１８の上面に貼り付けられた大理石等のタイルやレンガ等の床化粧板１９と、前記一方の目地プレート本体１７の先端部にヒンジ２０を介して、先端部が上下方向に回動できるように取付けられたカバープレート２１とで構成されている。
前記他方の目地プレート８は、平面視長方形状で、傾斜面２２を有する金属材製の他方の目地プレート本体２３と、他方の路面３に形成された他方の目地プレート設置凹部２４に設けられた枢支ピン挿入孔２５と、該枢支ピン挿入孔２５に挿入される他方の目地プレート本体２３の後端両側部に設けられた他方の目地プレート枢支ピン２６、２６と、他方の目地プレート本体２３内へ充填されたモルタルあるいはコンクリート２７と、このモルタルあるいはコンクリート２７の上面に貼り付けられた大理石等のタイルやレンガ等の床化粧板２８とで構成されている。
【００１４】
地震で目地部４が狭くなるように左右の路面２、３が揺れ動くと、図７に示すように、一方の目地プレート７は、他方の目地プレート８の後端部側に形成された傾斜面２２から他方の目地プレート８上面にせり上がり、その揺れ動きを吸収する。この時支承プレート６は、他方の路面３の外壁に押され、一方の路面２の外壁側へ取付具１４のアーム回動軸３１を支点にアーム１５が回動するとともに、支承プレート本体１２がスライド支持凹部５の反目地部側へスライド移動し、境界Ｂを越えることなく揺れ動きを吸収する。揺れ動きが治まり、左右の路面２、３が元の位置に復帰した際には、自重および他方の目地プレート８の摩擦力により支承プレート６も元の位置に復帰する。この時、支承プレート６が目地部へ脱落しないようにアーム１５の一定以上の移動を制限するストッパー１６が設けられている。
【００１５】
地震で目地部４が広くなるように左右の路面２、３が揺れ動くと、図８に示すように一方の目地プレート７および他方の目地プレート８は、支承プレート６上をスライド移動し、目地部４から脱落することなく、その揺れ動きを吸収する。この時支承プレート６は一方の目地プレート７と他方の目地プレート８に発生した隙間を塞ぎ、この隙間から人や物が目地部へ脱落することを防止する。
【００１６】
[発明を実施するための異なる形態]
次に、図９ないし図１３に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１７】
図９ないし図１３に示す本発明を実施するための第２の形態において、前記本発明を実施するための第１の形態と主に異なる点は、他方の目地プレート８Ａの先端部に支承プレート６Ａを一体に形成し、該一体形成した支承プレート６Ａにより他方の目地プレート８Ａの先端部を支持している点で、このような構成の床用目地装置１Ａにしても前記本発明を実施するための第１の形態と同様な作用効果が得られる。
【００１８】
なお、一方の路面２には略水平のスライド支持凹部５Ａを形成するとともに、スライド支持凹部５Ａの後端部には一方の目地プレート設置凹部３２を形成している。前記一方の目地プレート設置凹部３２には一方の目地プレート設置ピン３３を備えており、一方の目地プレート７Ａに形成されたピン収納ボックス３４に前記一方の目地プレート設置ピン３３が入り込み、一方の目地プレート７Ａの後端部がスライド支持凹部５Ａの反目地部側に支持された状態になっている。
【００１９】
また、他方の路面３の他方の目地プレート設置凹部２４に他方の目地プレート設置ピン３５を備えており、他方の目地プレート８Ａに形成されたピン収納ボックス３６に前記他方の目地プレート設置ピン３５が入り込み、他方の目地プレート８Ａの後端部が支持される。
【００２０】
本実施の形態において、地震で目地部４が狭くなるように左右の路面２、３が揺れ動くと、図１２に示すように、一方の目地プレート７Ａは、他方の目地プレート８Ａの後端部側に一体形成された支承プレート６Ａの上面をスライド移動し、その揺れ動きを吸収する。
【００２１】
地震で目地部４が広くなるように左右の路面２、３が揺れ動くと、図１３に示すように、一方の目地プレート７Ａは、他方の目地プレート８Ａの後端部側に一体形成された支承プレート６Ａの上面をスライド移動し、その揺れ動きを吸収する。
【産業上の利用可能性】
【００２２】
本発明は勾配路面用目地装置を製造する産業で利用される。
【符号の説明】
【００２３】
１、１Ａ：勾配路面用目地装置、    ２：一方の路面、
３：他方の路面、                  ４：目地部、
５、５Ａ：スライド支持凹部、      ６、６Ａ：支承プレート、
７、７Ａ：一方の目地プレート、    ８、８Ａ：他方の目地プレート、
９：枢支ピン、                    １０：枢支ピン挿入孔、
１１：スペーサー、                １２：支承プレート本体、
１３：回動軸、                    １４：取付具、
１５：アーム、                    １６：ストッパー、
１７：一方の目地プレート本体、    １８：モルタルあるいはコンクリート、
１９：床化粧板、                  ２０：ヒンジ部材、
２１：カバープレート、            ２２：傾斜面、
２３：他方の目地プレート本体、    ２４：他方の目地プレート設置凹部、
２５：枢支ピン挿入孔、            ２６：他方の目地プレート枢支ピン、
２７：モルタルあるいはコンクリート、
２８：床化粧板、                  ２９：長孔、
３０：ガイドレール、              ３１：アーム回動軸、
３２：一方の目地プレート設置凹部、３３：一方の目地プレート設置ピン、
３４：ピン収納ボックス、          ３５：他方の目地プレート設置ピン、
３６：ピン収納ボックス、          Ｂ：境界。
【図１】
2016142114.tif 000003
【図２】
2016142114.tif 000004
【図３】
2016142114.tif 000005
【図４】
2016142114.tif 000006
【図５】
2016142114.tif 000007
【図６】
2016142114.tif 000008
【図７】
2016142114.tif 000009
【図８】
2016142114.tif 000010
【図９】
2016142114.tif 000011
【図１０】
2016142114.tif 000012
【図１１】
2016142114.tif 000013
【図１２】
2016142114.tif 000014
【図１３】
2016142114.tif 000015